(57)【要約】【課題】  今までは、自分が緊急事態になった場合、誰かにケータイで連絡を取る時に、いちいちアドレス帳キーを開きその中から着信者側を選び出し、着信者側が、携帯電話の電源を切っていたり、固定電話やＩＰ電話、ＰＨＳ携帯電話が話し中だったり、留守番電話だったりして連絡が取れなかった事があった。【解決手段】  ケータイの本体の一部に緊急用のスイッチを設け、ケータイの本体に発信チップを組み込み、ケータイの表示画面の機能から発信チップに、複数の方々の電話番号をあらかじめ登録しておき、緊急スイッチを入れると発信チップに登録してある順に、例として、連絡先をＡ→Ｂ→Ｃ→・→・→・→Ａのようにループ状に発信できるように設定しておき、発信チップは登録や変更、削除できるようにして置く。そして、ケータイの緊急用のスイッチを入れると、連絡先を登録している順番に、次々にループ状に発信し続け、誰かに連絡が取れる機能を持つケータイ。【選択図】図１
2011035888.tif 000002
【特許請求の範囲】
【請求項１】
携帯電話（以下「ケータイ」という。）の機能において、携帯電話の本体（以下「本体」という）に、着脱可能な、緊急スイッチと、微小な大きさで集積回路にソフトウエアを持っているもの（以下「発信チップ」という。）を、ケータイの本体の一部に緊急スイッチと発信チップを組み込むように設定し、発信チップは発信チップカバーで覆うようにし、緊急スイッチはいつでも入れるようにして置き、そして、ケータイの本体の表示画面の機能表示の一部に、「緊急」などの表示を設け、その「緊急」を選択し、発信チップに、予め複数の方々の電話番号を登録し、ループ状に、Ａ→Ｂ→・→・→・→Ａなどのように、順番に発信するように発信チップに入力して置き、その順番は登録や修正、削除などが出来るように設定し、そして、発信者のケータイの電源キーがＯＮ、ＯＦＦに関係なく、ケータイの本体の緊急スイッチを入れると、ケータイの本体の電源が自動的に入る回路を設け、この緊急スイッチを入れると、発信チップに、連絡先を登録してあるＡに発信し、連絡が取れない時は、次のＢからＣへと、誰かに連絡が取れるまで、次々とループ状に発信し続けることを特徴とする機能を持つケータイ。
【発明の詳細な説明】
【技術分野】
【０００１】  携帯電話の緊急の機能に関するものである。
【背景技術】
【０００２】  「文献１」のような、携帯電話の側面に救急ボタンを設置し、１１０番、１１９番に発信するものはあった。
【文献１】
実用新案登録  第３０８４１２０号
ただし、「特許文献」などに、携帯電話の一部に緊急スイッチを設け、緊急時に発信者が、登録先の着信者側の最初の方に電話がつながらない時、登録してある複数の方々の、着信者側をループ状に次々に順番を換えて、発信していくような事柄はなかった。
【発明の開示】
【発明が解決しようとする課題】
【０００３】  今までは、自分が緊急状態になった場合、いちいちアドレス帳キーの表示画面に出し、それから、相手先を探してから発信していた。また、着信者側が、ケータイの電源を切っていたり、運転中だったり、固定電話やＩＰ電話、ＰＨＳ電話で話し中だったり、留守番電話機能中だったりして、連絡が取れなかったりした事があった。
【課題を解決するための手段】
【０００４】  携帯電話（以下「ケータイ」という。）の機能において、図１のように携帯電話の本体（以下「本体」という）（１）に、着脱可能な、緊急スイッチ（６）と、微小な大きさで集積回路にソフトウエアを持っているもの（以下「発信チップ」と言う。）（７）を、ケータイの本体の一部に緊急スイッチと発信チップを組み込むように設け、発信チップは発信チップカバー（３）で覆うようにし、緊急スイッチはいつでも入れるようにして置き、そして、図２のようにケータイの本体の表示画面（１１）の機能表示（２６）の一部に、「緊急」などの表示を設け、その「緊急」を選択し、発信チップ（７）に、あらかじめ複数の方々の電話番号を登録し、ループ状に、例として、図３のようにＡ親→Ｂ兄弟→Ｃ姉妹→Ｄ友人→Ｅ知人→Ｆ叔父→Ｇ伯母→Ａ親のように順番に発信するように発信チップに入力して置き、その順番は登録や修正、削除などが出来るように設定し、そして、図４のように発信者のケータイの電源キー（４）がＯＮ、ＯＦＦになっていても、ケータイの本体（１）の緊急スイッチ（６）を入れると、ケータイの本体の電源が自動的に入る回路を設け、緊急状態に陥った場合、この緊急スイッチを入れると、この時、図３のように発信チップ（７）に、連絡先を登録してあるＡに発信し、もし、着信側のＡのケータイの電源が入っていなかったり、Ａが運転中で出られなかたり、Ａが固定電話やＩＰ電話やＰＨＳ携帯電話で話中だったり、Ａが留守番電話などで連絡が取れなかったりした時は、次のＢからＣへと、誰かに連絡が取れるまで、ループ状に発信し続ける。
【発明の効果】
【０００５】  緊急スイッチや発信チップに不具合が起きた時は、ケータイの本体を回収することなく、緊急スイッチや発信チップを交換する事で、製造メーカーの負担を軽減できる。【０００６】  緊急スイッチや発信チップを規格化すれば、新しいケータイと交換する時は、緊急スイッチや発信チップをそのまま入れ替えて使用できる。また、購入時は不要だったが、のちに購入して使用できる。また、新たに緊急の機能が付いたケータイを買い、新たに登録をする事がなくなる。【０００７】  緊急時に一人だけに発信すると、例えば、父親が会議中とか母親が介護施設等で電源を切っている時があるかもしれないので、図３のように、発信チップの複数の方々の電話番号をループ状にしておくと、発信がループ状なので誰かに連絡が取れるまで回り続けるので、時間を待てば誰かに連絡がつながることが出来る。【０００８】  着信側の電話は、固定電話やＩＰ電話、ＰＨＳ携帯電話でも登録ができ連絡が取れる。【０００９】また、事件、事故、災害等の時に、ポケットやバッグに入れたまま、ケータイのアドレス帳を見なくても、緊急スイッチを手で、探りながら入れる事ができる。【００１０】  登録先のケータイは、図３のようなものが一般的であるが、持病を持っている人は、最初の電話番号を病院に登録しておくとか、ただし、病院が休みなどの時は次の方へ発信する。ストーカーに遭っている人は警察とか、釣り人や漁船に乗る人は漁業組合や海上保安庁とか、登山をする人は登山管理事務所とか、警備員や深夜タクシーの人は会社など、自分の生活を基に登録先の電話番号を何回でもすぐに変更できるので良い。
【発明を実施するための最良の形態】
【００１１】  ケータイの機能において、図１のようにケータイの本体（１）に、取り付け取り外しが出来るような、緊急スイッチ（６）と、発信チップ（７）を、ケータイの本体の一部に緊急スイッチと発信チップを組み込むように設け、発信チップは発信チップカバー（３）で覆うようにし、緊急スイッチはいつでも入れるようにして置き、そして、図２のようにケータイの本体の表示画面（１１）の機能表示（２６）の一部に、「緊急」などの表示を設け、その「緊急」を選択し、発信チップ（７）に、あらかじめ複数の方々の電話番号を登録し、ループ状に、例として、図３のようにＡ親→Ｂ兄弟→Ｃ姉妹→Ｄ友人→Ｅ知人→Ｆ叔父→Ｇ伯母→Ａ親のように順番に発信するように入力して置き、その順番は登録や修正、削除などが出来るように設定し、そして、図４のように発信者のケータイの電源キー（４）がＯＮ、ＯＦＦになっていても、ケータイの本体（１）の緊急スイッチ（６）を入れると、ケータイの本体の電源が自動的に入る回路を設け、緊急状態に陥った場合、この緊急スイッチを入れると、この時、図３のように発信チップ（７）に、連絡先を登録してあるＡに発信し、もしも、着信側のＡのケータイの電源が入っていなかったり、Ａが運転中で出られなかったり、Ａが固定電話やＩＰ電話やＰＨＳ携帯電話で話中だったり、Ａが留守番電話などで連絡が取れなかったりした時は、次のＢからＣへと、誰かに連絡が取れるまで、次々とループ状に発信し続ける機能を持つケータイ。
【実施例】
【００１２】  図５のように、購入時にはケータイの発信チップを買わず、後に必要に応じて購入し、本体（１）の一部の、発信チップカバー（３）を取りはずし、緊急スイッチ（６）と発信チップ（７）の一体化させたものをケータイの本体（１）に組み込んでもよい。【００１３】  図２のように、ケータイの本体（１）の表示画面（１１）の、機能画面（２６）の「緊急」から、発信チップの機能を、最初からケータイのＣＰＵに組み込み、図６のように緊急スイッチ（６）だけにしてもよい。【００１４】  図１のように、ケータイの緊急スイッチは、カメラのレンズ（２１）やヒンジの横（２２）やデザインなどで擬似をする事によって、いたずらをされにくく、目立ちにくいようにしてもよい。【００１５】  発信者がケータイの緊急スイッチ（６）を押した時は、発信チップから何らかの信号を出し、着信者側がその信号をキャッチして、視覚障害者のために、通常の自分の呼び出し音ではなく別のサイレン音や、聴覚障害者のために、表示画面や副表示画面を赤色などの点滅をさせるとよい。また、一般人の方が同じく使用してもよい。【００１６】  このケータイの機能の連絡は、相互に話し合って了解を得ていた方がよい。また、ループ状には、同じ人を何回登録してもよい。
【産業上の利用可能性】
【００１７】今や世界中で、不慮の自損事故、自動車、農機具、重機、暴力団、暴行、誘拐、強姦、いじめ、ストーカー，家庭内暴力、リンチ、病気、障害者、熱中障害、アメリカの銃社会、中東のテロや自爆による被害、南米の誘拐、熊に襲われた時、アフリカ等での動物、爬虫類、植物の誤食、コンビニ、銀行、深夜タクシー、震災、津波、風害、火災、水難、海難、船上火災、シージャック、飛行機事故、ハンググライダー、キノコ山菜取り、スキー、地下鉄、地下街などの緊急時に利用できる。
【図面の簡単な説明】
【００１８】
【図１】  ケータイの本体（１）の一部の、裏側の隅に緊急スイッチ（６）を取り付け、側面に発信チップ（７）と発信チップカバー（３）を、差し込もうとする例の図。
【図２】  ケータイの本体の表示画面（１１）に機能表示（２６）の一部に、「緊急」などの表示を設けている例の図。
【図３】  ケータイの発信チップ（６）の機能で複数の方々の電話番号が、登録の順番にＡ→Ｂ→Ｃ→Ｄ→Ｅ→Ｆ→Ｇ→Ｈ→Ａとループ状に発信する例の図。
【図４】  発信者のケータイの電源キー（４）をＯＮ，ＯＦＦしていない例の図。
【図５】  ケータイの購入時には発信チップを買わず、後に必要に応じて購入し、発信チップカバー（３）を取りはずし、緊急スイッチ（６）と発信チップ（７）の一体化させたものを本体（１）に組み込んだ例の図。
【図６】  ケータイの本体（１）の表示画面（１１）の機能画面（２６）の、「緊急」から、発信チップの機能をケータイのＣＰＵに組み込み、緊急スイッチ（６）だけにする例の図。
【符号の説明】
【００１９】１  携帯電話の本体
２  電池パックカバー
３  発信チップカバー
４  ケータイの電源キー
６  緊急スイッチ
７  発信チップ
１１  表示画面
２１  カメラのレンズ
２２  ヒンジの横
２４  英数文字キー
２６  機能表示
【図１】
2011035888.tif 000003
【図２】
2011035888.tif 000004
【図３】
2011035888.tif 000005
【図４】
2011035888.tif 000006
【図５】
2011035888.tif 000007
【図６】
2011035888.tif 000008